(57)【特許請求の範囲】
【請求項１】
一端が開口された円形導波管と、前記円形導波管と管軸方向を同一にして接続された方形導波管と、前記円形導波管と前記方形導波管との境界に設けられたショート面と、前記円形導波管および前記方形導波管の管軸方向と平行に基板を配置し、前記円形導波管に導入された直交する偏波のうち一方の偏波を該基板に設けた円形導波管内の第１プローブで受信し、他方の偏波を前記ショート面に設けた変換手段により前記方形導波管に変換して前記基板に立設した方形導波管内の第２プローブで受信するようにした偏波分波装置において、
前記円形導波管は、一次放射器に続く円筒部分と、前記基板を挟んでシャーシとシールドカバーとで円筒状に形成した前記円筒部分に続く部分とから形成され、
前記方形導波管は、前記シャーシと前記基板の裏面の接地導体とにより形成されるようにした偏波分波装置。
【請求項２】
前記変換手段は、前記ショート面に設けたスロットとした請求項１記載の偏波分波装置。
【請求項３】
前記一次放射器に続く円筒部分と、前記基板を挟んでシャーシとシールドカバーとで円筒状に形成した部分との接続部が、前記円形導波管のショート面から（２ｎ＋１）×λg1／４にする（ｎは自然数）と共に、前記方形導波管の入端面からショート面までをＮ×λg2／２となる（Ｎは自然数）ように設定し、前記接続部からの電波の漏れを低減するようにした請求項１または２記載の偏波分波装置。
【発明の詳細な説明】
【０００１】
【発明の属する技術分野】
本発明は偏波分波装置に係り、衛星電波受信用等のＬＮＢ（低雑音周波数変換器）の水平・垂直二偏波のアイソレーションを良好にするものに関する。
【０００２】
【従来の技術】
水平・垂直両偏波を受信する一次放射器一体型のＬＮＢ等には、例えば、図３に示すように、円形導波管２の管軸に直交する一枚の基板21上に垂直偏波受信用と水平偏波受信用の二本のプローブ22と23を設けたものがあるが、二本のプローブが接近しているため相互に干渉し合い、電界分布が乱れてアイソレーションが悪化し、例えば、必要レベル25dB（デシベル）以上に対して17dB〜18dB程度しか得られないという問題がある。二本のプローブを立体的に配設すればアイソレーションは良くなるが、基板が二枚必要になる等のため構造が複雑になる。
【０００３】
【発明が解決しようとする課題】
本発明はこのような点に鑑み、簡単な構造で水平・垂直二偏波間のアイソレーションを良好にすることを目的とする。
【０００４】
【課題を解決するための手段】
上記目的を達成するため、一端が開口された円形導波管と、前記円形導波管と管軸方向を同一にして接続された方形導波管と、前記円形導波管と前記方形導波管との境界に設けられたショート面と、前記円形導波管および前記方形導波管の管軸方向と平行に基板を配置し、前記円形導波管に導入された直交する偏波のうち一方の偏波を該基板に設けた円形導波管内の第１プローブで受信し、他方の偏波を前記ショート面に設けた変換手段により前記方形導波管に変換して前記基板に立設した方形導波管内の第２プローブで受信するようにした偏波分波装置において、前記円形導波管は、一次放射器に続く円筒部分と、前記基板を挟んでシャーシとシールドカバーとで円筒状に形成した前記円筒部分に続く部分とから形成され、前記方形導波管は、前記シャーシと前記基板の裏面の接地導体とにより形成されるようにする。
【０００５】
前記変換手段は、前記ショート面に設けたスロットとする。
【０００６】
【０００７】
なお、前記円形導波管の一次放射器に続く円筒部分とシャーシとシールドカバーとで円筒状に形成した部分との接続部が、円形導波管のショート面から（２ｎ＋１）×λg1／４ （ｎ＝１の場合、３λg1／４、λg1は円形導波管内波長）にすると共に、方形導波管の入端面からショート面までをＮ×λg2／２ （Ｎ＝１の場合、λg2／２、λg2は方形導波管内波長）に設定し（ｎおよびＮは自然数）、接続部（円形導波管の不連続部）からの電波の漏れを低減するようにする。
【０００８】
【発明の実施の形態】
発明の実施の形態を実施例に基づき図面を参照して説明する。図１は本発明による偏波分波装置の一実施例の要部構成図で、（イ）は正面図、（ロ）は側面図、図２は要部分解斜視図である。図において、１は一次放射器、２は円形導波管の円筒部分、２′は同円筒形部分、３は円形導波管の接続部、４は円形導波管のショート面、５は第１プローブ、６はスロット、７は方形導波管、８は方形導波管の入端面、９は方形導波管のショート面、10は第２プローブ、11は基板、12はシャーシ、13はシールドカバーである。
【０００９】
円形導波管は、一次放射器１に続く円筒部分２と、基板９を挟んでシャーシ12とシールドカバー13とで円筒形に形成した部分２′とで形成する。基板11は円形導波管２＋２′および方形導波管７の管軸方向に配置される。そして、円形導波管２＋２′のショート面（後端面）４からλg1／４（λg1は円形導波管内波長）の位置に設けた第１プローブ５で一方の偏波（垂直方向の偏波）を受信し、ショート面４の位置に形成したスロット６で方形導波管７に変換し、方形導波管７のショート面（後端面）９からλg2／４（λg2は方形導波管内波長）の位置に基板11に立設した第２プローブ10で他方の偏波（水平方向の偏波）を受信する。方形導波管７はシャーシ12とシャーシ12上に載置される基板10の裏面の接地導体面とで形成する。
【００１０】
円形導波管（２＋２′）は、上述のように一次放射器１に続く円筒部分２と、シャーシ12とシールドカバー13とで円筒状にした部分２′とで形成されるため、接続部３が不連続となり、ここから電波漏れが生じる。この電波漏れを低減するため、接続部３（不連続部）と円形導波管のショート面４との距離L1を（2n＋１）×λg1／４ （ｎ＝１の場合、３λg1／４）に、方形導波管７の入端面８からショート面９までの距離L2をＮ×λg2／２ （Ｎ＝１の場合、λg2／２）に設定し、両偏波の接続部３の管壁の電流を妨げないようにする。同時に、二つのプローブの位置が離れるので、相互干渉が生じず、電界分布の乱れが解消してアイソレーションが良好になる。しかも、二つのプローブが一枚の基板上に設けられるので後続のＬＮＢ回路への接続も容易である等、簡単な構造で実施することができる。
【００１１】
【発明の効果】
以上に説明したように、本発明による偏波分波装置によれば、一端が開口された円形導波管と、前記円形導波管と管軸方向を同一にして接続された方形導波管と、前記円形導波管と前記方形導波管との境界に設けられたショート面と、前記円形導波管および前記方形導波管の管軸方向と平行に基板を配置し、前記円形導波管に導入された直交する偏波のうち一方の偏波を該基板に設けた円形導波管内の第１プローブで受信し、他方の偏波を前記ショート面に設けた変換手段により前記方形導波管に変換して前記基板に立設した方形導波管内の第２プローブで受信するようにした偏波分波装置において、前記円形導波管は、一次放射器に続く円筒部分と、前記基板を挟んでシャーシとシールドカバーとで円筒状に形成した前記円筒部分に続く部分とから形成され、前記方形導波管は、前記シャーシと前記基板の裏面の接地導体とにより形成されるようにするものであるから、基板が一枚で済む簡単な構造で、しかも良好なアイソレーションを得ることができる。また、円形導波管は、一次放射器に続く円筒部分とシャーシおよびシールドカバーで円筒状に形成した部分とで構成されるため、接続部が不連続になり電波漏れが生じやすくなるが、この接続部を適宜の位置に設定したので接続部の管壁の両偏波の電流が妨げられず、電波漏れを低減することができる。
【図面の簡単な説明】
【図１】本発明による偏波分波装置の一実施例の要部構成図である。
【図２】本発明による偏波分波装置の一実施例の要部分解斜視図である。
【図３】従来の偏波分波装置の一例の要部構成図である。
【符号の説明】
１ 一次放射器
２ 円形導波管
３ 円形導波管の接続部
４ 円形導波管のショート面
５ 第１プローブ
６ スロット（変換手段）
７ 方形導波管
８ 方形導波管の入端面
９ 方形導波管のショート面
10 第２プローブ
11 基板
12 シャーシ
13 シールドカバー
【図１】
0003918296.tif 000002
【図２】
0003918296.tif 000003
【図３】
0003918296.tif 000004